(57)【要約】【課題】本発明は、型枠兼用断熱材のレベル調整方法に関し、従来の型枠兼用断熱材では、該断熱材間に仕上げ材を架設して貼着すると、当該断熱材と仕上げ材との間にスキマが生じるのが課題であって、本発明によりそれを解決することである。【解決手段】発泡樹脂製で平板状の保温板本体２の片面に設けられた嵌合用スリットに強度補強用補強材４の側壁面を嵌合させて前記片面とこの片面から突出している前記補強材４の突出部４ｂ内壁面４ｃとの間に空隙５を有して補強材４が嵌合され、前記補強材の突出部に固定支持部材６が設けられ、前記固定支持部材６に突出量が調節自在なレベル調整部材７が取付けられ、前記補強部材４間に架設される仕上げ材の内壁面と当該補強部材との間に生じたスキマが、前記レベル調整部材７を適宜突出させて前記仕上げ材の内壁面に当接させて調整した後に前記固定支持部材６で固定することで、レベル調整される型枠兼用断熱材のレベル調整方法とするものである。【選択図】図３
2010121369.tif 000002
【特許請求の範囲】
【請求項１】
発泡樹脂製で平板状の保温板本体の片面に設けられた嵌合用スリットに強度補強用補強材の側壁面を嵌合させて前記片面とこの片面から突出している前記補強材の突出部内壁面との間に空隙を有して補強材が嵌合され、
前記補強材の突出部に固定支持部材が設けられ、
前記固定支持部材に突出量が調節自在なレベル調整部材が取付けられ、
前記補強部材間に架設される仕上げ材の内壁面と当該補強部材との間に生じたスキマが、前記レベル調整部材を適宜突出させて前記仕上げ材の内壁面に当接させて調整した後に前記固定支持部材で固定することで、レベル調整されること、
を特徴とする型枠兼用断熱材のレベル調整方法。
【請求項２】
固定支持部材は、断面コ字形に形成された補強材の突出部の両側壁面の間に貫通して架設されたボルトと、このボルトに螺合するナットとで構成されるとともに、レベル調整部材は所望長さの平板を前記突出部を覆う幅の断面コ字形に形成したものでその側壁面に突出量調節のために前記ボルトが差し込まれるスリットが設けられていること、
を特徴とする請求項１に記載の型枠兼用断熱材のレベル調整方法。
【請求項３】
レベル調整部材のスリットは、該レベル調整部材がボルトに掛けられただけでは落下しないように、側壁面の下方向に開口するＬ字形に形成されていること、スリットの先端部が上方向に膨出して形成されていること、または、スリットが途中から斜め上に傾斜して形成されていることのいずれかであること、
を特徴とする請求項１乃至２のいずれかに記載の型枠兼用断熱材のレベル調整方法。
【請求項４】
発泡樹脂製の保温板本体と、
該保温本体の片面側に設けた嵌合用スリット嵌合されその一部を前記片面から突出して嵌合されて併設された補強材と、
前記補強材に取り付けられた固定支持部材と、
前記固定支持部材によって仮止めされ前記補強材と仕上げ材とのスキマを無くすように前後方向へ移動自在に支持されレベル調整後に固定されるレベル調整部材とからなること、
を特徴とする型枠兼用断熱材。
【発明の詳細な説明】
【技術分野】
【０００１】
本発明は、建物の外断熱材若しくは内断熱材として使用されるもので、コンクリートと断熱材とが一体に形成される型枠兼用断熱材において、前記断熱材の強度を補強する補強材のレベル調整方法とその型枠兼用断熱材に関するものである。
【背景技術】
【０００２】
従来、コンクリート建造物における外断熱壁等の断熱材として、例えば、合成樹脂発泡体に、その片面に紙を接着し、反対面にコンクリートを打設して一体に固着し、型枠兼用の断熱パネルを製造するものが知られている。また、更に、通気性を有するようにしてコンクリート壁に条溝を有するセメント板を備えた通気性断熱パネルを外断熱壁とするものが知られている。
【特許文献１】特開平０７−２１７０１６号公報
【特許文献２】特開２００７−１４６３９０号公報
【発明の開示】
【発明が解決しようとする課題】
【０００３】
しかし、従来の型枠兼用断熱材において、通気性を確保する際に、条溝を有する成形セメント板を使用しているので、重量も重くなりコストも嵩むものである。そこで、断熱材を合成樹脂発泡体にして、それに、通気確保用の補強材を突設させて嵌合させることで、この補強材に貼着する仕上げ材と前記断熱材との間に通気層を確保することができる。
しかしながら、その場合に、前記断熱材に嵌合させた補強材は、型枠内に打ち込まれたコンクリートの重量により型枠外側に向かって断熱材が膨らみ、前記補強材間に仕上げ材を架設すると、隣接する補強材の取付端面の位置に凹凸があって、面一に揃わないことが多い。そこで、前記仕上げ材と補強材との間にできる不揃いなスキマを調整する必要がある。本発明に係る型枠兼用断熱材とそのレベル調整方法は、このような課題を解決するために提案されたものである。
【課題を解決するための手段】
【０００４】
本発明に係る型枠兼用断熱材のレベル調整方法の上記課題を解決して目的を達成するための要旨は、発泡樹脂製で平板状の保温板本体の片面に設けられた嵌合用スリットに強度補強用補強材の側壁面を嵌合させて前記片面とこの片面から突出している前記補強材の突出部内壁面との間に空隙を有して補強材が嵌合され、前記補強材の突出部に固定支持部材が設けられ、前記固定支持部材に突出量が調節自在なレベル調整部材が取付けられ、前記補強部材間に架設される仕上げ材の内壁面と当該補強部材との間に生じたスキマが、前記レベル調整部材を適宜突出させて前記仕上げ材の内壁面に当接させて調整した後に前記固定支持部材で固定することで、レベル調整されることである。
【０００５】
前記固定支持部材は、断面コ字形に形成された補強材の突出部の両側壁面の間に貫通して架設されたボルトと、このボルトに螺合するナットとで構成されるとともに、レベル調整部材は所望長さの平板を前記突出部を覆う幅の断面コ字形に形成したものでその側壁面に突出量調節のために前記ボルトが差し込まれるスリットが設けられていることを含むものである。
また、前記レベル調整部材のスリットは、該レベル調整部材がボルトに掛けられただけでは落下しないように、側壁面の下方向に開口するＬ字形に形成されていること、スリットの先端部が上方向に膨出して形成されていること、または、スリットが途中から斜め上に傾斜して形成されていることのいずれかであることを含むものである。
【０００６】
本発明に係る型枠兼用断熱材の上記課題を解決して目的を達成する為の要旨は、発泡樹脂製の保温板本体と、該保温本体の片面側に設けた嵌合用スリット嵌合されその一部を前記片面から突出して嵌合されて併設された補強材と、前記補強材に取り付けられた固定支持部材と、前記固定支持部材によって仮止めされ前記補強材と仕上げ材とのスキマを無くすように前後方向へ移動自在に支持されレベル調整後に固定されるレベル調整部材とからなることである。
【発明の効果】
【０００７】
本発明の型枠兼用断熱材とそのレベル調整方法によれば、隣接する補強材に仕上げ材を架設させた時に生じるスキマが、前記レベル調整部材を適宜に仕上げ材の内壁面（裏面）に当接するまで突出させることで、解消される。また、前記レベル調整部材による突出量を、側壁面に設けたスリットによって移動させ、ボルト・ナットによりる固定支持部材で固定することで実現することができる。
前記スリットも、レベル調整部材を補強材の突出部に設けた固定支持部材に引っ掛けた際に、当該レベル調整部材が誤って落下しないように、スリットの先端部を上に膨出させたり、スリットの形状をＬ字形にしたり、若しくは斜め上に傾斜させたりすることで防止できて、安全性が向上する。
レベル調整部材を有する型枠断熱材であれば、仕上げ材との間に生じるスキマを容易に解消することができる。
【発明を実施するための最良の形態】
【０００８】
本発明に係る型枠兼用断熱材とそのレベル調整方法における各部材について説明する。前記型枠兼用断熱材１は、例えば、コンクリート造建築物の外断熱用に使用され、これを型枠として組立てその型枠内にコンクリートを打設することで、コンクリート壁と一体にして形成されて、外壁材などが取り付けられるものであり、これに限らず、内断熱用に使用され、室内側に仕上げ材などが取り付けられるものである。
【０００９】
前記型枠兼用断熱材１は、図１乃至図２に示すように、発泡樹脂製で平板状のボードである。この保温板本体２の片面２ａに設けられた嵌合用スリット３に、強度補強用補強材４の側壁面４ａを嵌合させて前記片面２ａとこの片面２ａから突出している前記補強材４の突出部４ｂ内壁面４ｃとの間に空隙５を有して、普通軟鋼の補強材４が嵌合される。
【００１０】
前記補強材４は、所要長さの金属板を、断面コ字形に折り曲げ、更に、側壁面４ａの端部を直交させて折り曲げてフランジ４ｄを形成している。このフランジ４ｄは、外側に曲げた例を示しているが、内側に向き合わせて曲げたフランジとしても良い。図３に示すように、保温板本体２の片面２ａから突出させている前記突出部４ｂに固定支持部材６が設けられる。
【００１１】
前記固定支持部材６は、断面コ字形に形成された補強材４の突出部４ｂの両側壁面４ａ，４ａの間に貫通して架設された、両端部にネジ付きのボルト６ａと、このボルト６ａのネジ部に螺合するナット６ｂとで構成される。この場合、突出部４ｂの両側壁面４ａにボルト挿通用の貫通孔が設けられる。なお、これに限らず、両側壁面４ａにネジ付きボルトを直接溶接して植設するようにしても良い。
【００１２】
前記固定支持部材６に、図３乃至図４に示すような、前後方向への突出量が調節自在なレベル調整部材７が取付けられる。このレベル調整部材７は所望長さの平板を前記突出部４ｂを覆う幅の断面コ字形に形成したもので、その側壁面７ａに突出量調節のために前記ボルト６ａが差し込まれるスリット７ｂが設けられている。
【００１３】
前記レベル調整部材７のスリット７ｂは、外壁材や仕上げ材などが取り付けられる前の状態で、該レベル調整部材７が前記ボルト６ａに掛けられただけでは落下しないように、図５（Ａ），（Ｂ），（Ｃ）に示すように、例えば、側壁面７ａの下方向に開口するＬ字形に形成されているスリット７ｃ，７ｄにしたり、スリットの先端部７ｅが上方向に膨出して形成されているスリット７ｂにしたり、斜め上に傾斜させたスリット７ｆにしたり、することができるものである。このようにすれば、レベル調整部材７が仮置き状態のときでも、自然落下しにくくなり、安全性が向上するものである。
【００１４】
前記レベル調整部材７を設けてレベル調整する方法について説明する。保温板本体２に補強材４を取り付けた型枠兼用断熱材１を、前記補強材４を縦にして設置し、セパレーターで間隔を保持して型枠用合板を設置してこれらを堰板とし、横端太材（胴縁）を取り付けてフォームタイで固定し、コンクリート壁８用型枠を形成する。補強材４の突出部４ｂにボルト６ａ及びナット６ｂを取付けて、更に空隙５には充填材を充填する。
【００１５】
前記型枠内にコンクリートを打設して一体に形成する。このとき、前記コンクリートの重量により、前記型枠兼用断熱材１の一部に外側へのふくらみが生じることがある。すると。図６に示すように、前記補強部材４、４，…間に架設される仕上げ材（外壁材、飾り板等）９の内壁面と当該補強部材４との間にスキマａが生じる。
【００１６】
そこで、前記レベル調整部材７を、スキマが生じている補強材４における固定支持部材６のボルト６ａに、スリット７ｂに挿通させて掛ける。更に、前記レベル調整部材７を適宜突出させて前記仕上げ材９の内壁面９ａに当接させて調整した後に、前記固定支持部材６におけるナット６ｂを両側で側壁面４ａへと締め込んで側壁面７ａを挟持し、前記レベル調整部材７を固定する。こうして、前記スキマａは、前記レベル調整部材７によって解消され、仕上げ材９の不陸が防止される。型枠兼用断熱材１の保温板本体２と仕上げ材９との間に通気層１０が確保される。
【図面の簡単な説明】
【００１７】
【図１】本発明に係る型枠兼用断熱材１の一部の構成を示す斜視図である。
【図２】同型枠兼用断熱材１の一部を拡大して示す拡大斜視図である。
【図３】同型枠兼用断熱材１の補強材４にレベル調整部材７を取り付ける構成と方法の概略を示す説明図である。
【図４】同型枠兼用断熱材１の補強材４に取り付けたレベル調整部材７のレベル調整方法を説明する側面視した説明図である。
【図５】レベル調整部材７のスリット７ｂの他の実施例を示す説明図（Ａ），（Ｂ），（Ｃ）である。
【図６】本発明に係る型枠兼用断熱材のレベル調整方法により、スキマａが解消されることを示す平面図である。
【符号の説明】
【００１８】
１          型枠兼用断熱材、
２          保温板本体、                ２ａ        片面、
３          嵌合用スリット、
４          補強材、                    ４ａ        側壁面、
４ｂ        突出部、                    ４ｃ        内壁面、
４ｄ        フランジ、
５          空隙、
６          固定支持部材、              ６ａ        ボルト、
６ｂ        ナット、
７          レベル調整部材、            ７ａ        側壁面、
７ｃ，７ｄ  Ｌ字形のスリット、
７ｅ        先端部、                    ７ｆ        斜上に傾斜したスリット、
８          コンクリート壁、
９          仕上げ材、
１０        通気層。
【図１】
2010121369.tif 000003
【図２】
2010121369.tif 000004
【図３】
2010121369.tif 000005
【図４】
2010121369.tif 000006
【図５】
2010121369.tif 000007
【図６】
2010121369.tif 000008